(57)【要約】【課題】  浴槽壁の傾斜角がさまざまな浴槽にも取り付け可能とする気泡発生器用ハンガーを提供する。【解決手段】  一端を浴槽壁３に固定または係止する部分を有する支持棒Ａ５と、一端に掛け具７を有する支持棒Ｂ６とからなり、前記支持棒Ａ５の他端と前記支持棒Ｂ６の他端同士を同一中心軸上にて回動可能に接合し、この支持棒Ａ５と支持棒Ｂ６は中心軸と直交する基準面に対して傾斜して交わる接合面１４とし、また、支持棒Ａの浴槽壁に固定または係止する部分を吸盤等の脱着自在な部材とした。【選択図】  図１
2005152479.tif 000002
【特許請求の範囲】
【請求項１】
一端を浴槽壁（３）に固定または係止する部分を有する支持棒Ａ（５）と、一端に掛け具（７）を有する支持棒Ｂ（６）とからなり、前記支持棒Ａ（５）の他端と前記支持棒Ｂ（６）の他端同士を同一中心軸上にて回動可能に接合し、この接合部は中心軸と直交する基準面に対して傾斜して交わる接合面（１４）としたことを特徴とする気泡発生器用ハンガー。
【請求項２】
支持棒Ａ（５）の浴槽壁（３）に固定または係止する部分を吸盤（４）等の脱着自在な部材としたことを特徴とする請求項１記載の気泡発生器用ハンガー。
【請求項３】
支持棒Ａ（５）と支持棒Ｂ（６）の接合部に永久磁石（１３）等の吸引力を利用した遊合接合を用いたことを特徴とする請求項１記載の気泡発生器用ハンガー。
【発明の詳細な説明】
【技術分野】
【０００１】
本発明は、入浴時の気泡マッサージなどのために用いるもので、電源部を浴室外に置き、気泡発生器を浴槽壁に取り付ける浴用の気泡発生器に係わり、この気泡発生器の取り付け、設置方法の改良に関するものである。
【背景技術】
【０００２】
従来のこの種の浴用気泡発生器の取り付けは、図４に示すような構造のものが知られている。すなわち、１５は気泡発生器で電動機付きポンプ１６と吸水口１７と噴射口１８等により構成されている。
【０００３】
１９は自在ハンガー、２０は浴槽壁で気泡発生器１５は自在ハンガー１９を介して浴槽壁２０に取り付けられている。
【０００４】
自在ハンガー１９は取付基台２１及び可動枠体２２から構成され、両者は一端で軸２３を共有し、互いに回転自在に支持されている。
【０００５】
取付基台２１には吸盤２４が上下左右に付けられていて浴槽壁２０の傾斜に応じて吸着保持される。
【０００６】
可動枠体２２は浴槽壁２０の傾斜に合わせて軸２３部で回転させ、気泡発生器１５が水平になるように可動枠体２２と取付基台２１の角度を角度可変機構２５で可変して固定する。このようにして浴槽壁２０に傾斜のある浴槽に気泡発生器１５を適切な角度で設置することができる（例えば、特許文献１参照）。
【０００７】
【特許文献１】特開２００２−７８７６８
【発明の開示】
【発明が解決しようとする課題】
【０００８】
近年、浴槽の浴槽壁の形状が変化し浴槽壁面が傾斜した浴槽が増加してきた。また、この浴槽壁面の角度はさまざまで、筆者らが調べたところ約９０度から１３５度までの広範囲な角度のものが生産され消費されている。
【０００９】
ところで、上記の従来技術において、自在ハンガー１９で取付基台２１と可動枠体２２の取り付け角度を調整すればある程度の浴槽壁面の角度まで対応して取り付けることが可能であるが、気泡発生器１５に比べ自在ハンガー１９の形状が大きく、浴槽に設置した場合外観的に良くない。また、構造が複雑であるため汚れやすく掃除が面倒である。また、構造が複雑であるため高コストであった。
【００１０】
そこで、本発明はできるだけ低コストで、浴槽のいろんな壁面角度に対応できる浴用の気泡発生器用ハンガーを提供することにある。
【課題を解決するための手段】
【００１１】
本発明は上記の問題を解決するためになされたものであり、請求項１では一端を浴槽壁に固定または係止する部分を有する支持棒Ａと、一端に掛け具を有する支持棒Ｂとからなり、前記支持棒Ａの他端と前記支持棒Ｂの他端同士を同一中心軸上にて回動可能に接合し、この接合部は中心軸と直交する基準面に対して傾斜して交わる接合面としたものである。
【００１２】
また、請求項２では支持棒Ａの浴槽壁に固定または係止する部分を吸盤等の脱着自在な部材としたものである。
【００１３】
また、請求項３では支持棒Ａと支持棒Ｂの接合部に永久磁石等の吸引力を利用した遊合接合を用いたものである。
【発明の効果】
【００１４】
本発明の気泡発生器用ハンガーは、上記のように構成したことにより、簡単に浴槽壁の傾斜に合わせて気泡発生器を取り付けることができ、気泡発生器の気泡流の噴射方向を水平方向にすることができるため快適に気泡マッサージすることができる。
【００１５】
また、構造が複雑でないため清掃が簡単にでき面倒でない。
【００１６】
また、簡単な構造でありながら角度が調整できかつ小型に構成することができるため外観的に優れている。
【００１７】
また、小型で構造が簡単であるため製品の低コスト化にも優れた効果がある。
【００１８】
さらに、支持棒Ａと支持棒Ｂとの接合部に永久磁石を用いることにより支持棒Ａと支持棒Ｂを分離することできるため、製造が簡単になり、また、接合部の構造が複雑にならないためさらに製造コストを低コストにすることができる。
【発明を実施するための最良の形態】
【００１９】
以下本発明の一実施例を図１〜図３により説明する。図１は本発明の一実施例を示す気泡発生器用ハンガーの浴槽設置時の縦断面図、図２（ａ）、（ｂ）、（ｃ）は同じく接合部の角度を変えた状態の説明図、図３は同じく接合部に永久磁石を用いた場合の説明図である。
【００２０】
図において、１は上面開放の浴槽、２はお湯で浴槽１に所定量入れてある状態を示している。
【００２１】
３は浴槽壁で浴槽１の底面に対し１３５度傾斜している形状のものである。
【００２２】
４は吸盤で傾斜した浴槽壁３に脱着自在に吸着して固定するものであり、この吸盤４を介して後記する気泡発生器を浴槽１内に固定するため、ある程度の大きさの形状と強度を有するものである。
【００２３】
５は支持棒Ａで一端は吸盤４に垂直に接合して取り付けられていて、他端は中心軸と直交する基準面に対し２２．５度の傾斜した角度の接合面１４を持った丸棒形状をしているものである。
【００２４】
６は支持棒Ｂで一端は支持棒Ａ５と同様に中心軸と直交する基準面に対し２２．５度の傾斜した角度の接合面１４を持った丸棒形状をしていて、他端は後記する掛け具７に垂直に接合されている。
【００２５】
そして、支持棒Ａ５と支持棒Ｂ６とは傾斜した角度を持った接合面１４同士が同一中心軸上にて回動可能に接合されている。
【００２６】
７は掛け具で支持棒Ｂ６の一端に垂直に接合されていて円盤形状のものである。
【００２７】
８は気泡発生器で内蔵した気泡発生用の電動機付きポンプ（図示せず）により気泡発生器８の底部に設けた吸水口（図示せず）から浴槽１内のお湯２を吸い込み、また、気泡発生器８の上部に設けた吸気口（図示せず）から空気を吸い込みポンプ部で混合し気泡噴流にして噴射口９から噴射する。
【００２８】
１０はＬ字形の引掛具で気泡発生器８の背面に設けられていて、支持棒Ｂ６に接合された掛け具７に掛けられて固定され、気泡発生器８が掛け具７から簡単に外れないようにしている。
【００２９】
１１は軸で支持棒Ａ５と支持棒Ｂ６の夫々の傾斜した角度を持った接合面１４の中心部に面と垂直方向に設けられていて、この軸１１を中心にして支持棒Ａ５と支持棒Ｂ６同士が回動可能になっている。また、この軸１１により支持棒Ａ５と支持棒Ｂ６が連結され簡単に外れないようにしている。
【００３０】
このような構造により、支持棒Ａ５と支持棒Ｂ６を軸１１を中心に適当に回動させることにより、例えば図２（ａ）に示すように支持棒Ａ５と支持棒Ｂ６との角度を１８０度にすると掛け具７の面を垂直にしたとき支持棒Ａ５に接合した吸盤４の面が水平に対して９０度とすることができる。また（ｂ）に示すように支持棒Ａ５と支持棒Ｂ６との角度を１６０度にして掛け具７の面を垂直にしたとき支持棒Ａ５に接合した吸盤４の面が水平に対して１１０度とすることができる。また（ｃ）に示すように支持棒Ａ５と支持棒Ｂ６との角度を１３５度にして掛け具７の面を垂直にしたとき支持棒Ａ５に接合した吸盤４の面が水平に対して１３５度とすることができる。
【００３１】
このように支持棒Ａ５と支持棒Ｂ６の接合面の角度を２２．５度傾斜させることにより、支持棒Ａ５と支持棒Ｂ６の接合部の角度は１３５度から１８０度の範囲で自由に設定することができる。
【００３２】
１２は電源線で浴室外に設置した電源部（図示せず）と浴槽１内に設置した気泡発生器８とを接続し気泡発生器８に電源を供給している。
【００３３】
図３は支持棒Ａ５と支持棒Ｂ６のそれぞれの傾斜した接合面１４同士の接合部に永久磁石を用いた場合を示し、永久磁石１３を支持棒Ａ５と支持棒Ｂ６の傾斜した面に設け、永久磁石１３同士の吸引力を利用した遊合接合で外れないように固定し、支持棒Ａ５と支持棒Ｂ６を回動する場合は永久磁石１３の吸着部分で行うようにしたものである。
【００３４】
次に、以上の構成による作用について説明する。浴槽壁３の傾斜が１３５度の場合は、支持棒Ａ５と支持棒Ｂ６の接合部を回動させて接合部の角度を１３５度に調節して固定し、支持棒Ｂ６に接合してある掛け具７の面が浴槽１の底面に対し垂直となるようにして吸盤４により浴槽壁３に吸着させる。
【００３５】
次に、掛け具７に気泡発生器８の背面に設けられたＬ字形の引掛具１０を掛け固定する。そうすると、気泡発生器８の噴射口９が浴槽１の底面と平行となる。
【００３６】
次に、気泡発生器８に電源を接続すると電動機付きポンプが駆動し、吸水口から吸水した水と吸気口から吸気した空気がポンプ部で混合され、噴射口９から浴槽１中に気泡が浴槽１の底面と平行に噴射される。
【００３７】
したがって、支持棒Ａ５と支持棒Ｂ６の接合部を回動させて接合部の角度を１３５度から１８０度の範囲で調整することにより、浴槽壁の傾斜が９０度から１３５度の範囲の浴槽に取り付ければ掛け具７に掛けられた気泡発生器８の噴射口９を浴槽１の底面と平行とすることができる。
【００３８】
このように、簡単に浴槽壁３の傾斜に合わせて気泡発生器８を取り付けることができ、気泡発生器８の気泡流の噴射方向を水平方向にすることができるため快適に気泡マッサージすることができる。
【００３９】
また、構造が複雑でないため清掃が簡単にでき面倒でない。
【００４０】
また、簡単な構造でありながら角度が調整できかつ小型に構成することができるため外観的に優れている。
【００４１】
また、小型で構造が簡単であるため製品の低コスト化にも優れた効果がある。
【００４２】
さらに、支持棒Ａ５と支持棒Ｂ６との接合部に永久磁石１３を用いることにより支持棒Ａ５と支持棒Ｂ６を分離することできるため、製造が簡単になり、また、接合部の構造が複雑にならないためさらに製造コストを低コストにすることができる。
【００４３】
なお、支持棒Ａ５、Ｂ６の結合面１４の角度を本実施例ではそれぞれ２２．５度傾斜させたが、この角度はこれに限定する必要はなく、この角度を適当に変更すれば、取付可能な浴槽側壁の傾斜角の範囲を広くしたり、狭くしたりすることができる。
【００４４】
また、支持棒Ａの一端を吸盤を介して浴槽壁に脱着自在に固定しているが、この部分は吸盤に限定する必要はなく、浴槽壁に固定または係止する機能を有する部分を有していればよい。
【図面の簡単な説明】
【００４５】
【図１】本発明の一実施例を示す気泡発生器用ハンガーの浴槽設置時の縦断面図である。
【図２】（ａ）、（ｂ）、（ｃ）同じく接合部の角度を変えた状態の説明図である。
【図３】同じく接合部に永久磁石を用いた場合の説明図である。
【図４】従来例を示す図である。
【符号の説明】
【００４６】
３  浴槽壁
４  吸盤
５  支持棒Ａ
６  支持棒Ｂ
７  掛け具
１３  永久磁石
１４  接合面
【図１】
2005152479.tif 000003
【図２】
2005152479.tif 000004
【図３】
2005152479.tif 000005
【図４】
2005152479.tif 000006